(57)【特許請求の範囲】
【請求項１】
加圧された給水タンク内の水を内視鏡に送り込むために、上記給水タンクから延出する給水管の先端に設けられた給水口が、上記内視鏡の給水受け口金に着脱自在に接続される内視鏡用給水装置において、
上記給水口が上記給水受け口金に接続されていない状態では閉じていて、上記給水口が上記給水受け口金に接続されることにより強制的に開状態になる給水路弁を、上記給水口部分に設けると共に、
上記給水口が上記給水受け口金に接続された状態では上記給水管と上記給水口とを連通させる状態に開き、上記給水口が上記給水受け口金に接続されていない状態においては、通常は上記給水管と上記給水口との間を塞ぎ、上記給水管内と上記給水口内との間に一定以上の差圧が生じた状態になると、それによって開いて上記給水管と上記給水口とを連通させる差圧開閉弁を、上記給水口内に設けたことを特徴とする内視鏡用給水装置。
【請求項２】
上記給水口が上記給水受け口金に接続されていない状態において、上記給水管内の圧力が上記給水口部分の圧力より一定以上高くなることにより上記差圧開閉弁が開く請求項１記載の内視鏡用給水装置。
【請求項３】
上記給水口が上記給水受け口金に接続されていない状態において、上記給水口部分の圧力が上記給水管内の圧力より一定以上高くなることにより上記差圧開閉弁が開く請求項１記載の内視鏡用給水装置。
【請求項４】
上記給水口が、上記給水路弁を構成する筒状部材の先端部分に形成されており、上記給水口が上記給水受け口金に着脱されることにより、上記筒状部材が軸線方向に移動して上記給水路弁が機械的に開閉される請求項１、２又は３記載の内視鏡用給水装置。
【請求項５】
上記差圧開閉弁が上記筒状部材に取り付けられた弾力性のある閉鎖膜によって形成されていて、上記給水口が上記給水受け口金に接続された状態では上記閉鎖膜が上記筒状部材の内部通路を塞がず、上記給水口が上記給水受け口金に接続されていない状態においては、通常は上記閉鎖膜が上記筒状部材の内部通路を塞ぎ、上記給水管内と上記給水口内との間に一定以上の差圧が生じると、その差圧によって上記閉鎖膜が弾力的に変形して上記筒状部材の内部通路を塞がない状態になる請求項４記載の内視鏡用給水装置。
【発明の詳細な説明】
【０００１】
【発明の属する技術分野】
この発明は、加圧された給水タンク内の水を内視鏡に送り込むための内視鏡用給水装置に関する。
【０００２】
【従来の技術】
内視鏡用給水装置は一般に、加圧された給水タンク内の水を内視鏡に送り込むために、給水タンクから延出する給水管の先端に設けられた給水口が内視鏡の給水受け口金に着脱自在に接続されるようになっている。
【０００３】
しかし、単純にそのような構成をとると、内視鏡の給水受け口金から給水管を抜いた後、給水管内の水が給水口から滴り落ちてしまうので、給水口が給水受け口金に接続されていない状態では給水口を塞ぐようになる給水路弁が設けられたものがある（特公平１−４６１４１号）。
【０００４】
また、同じ目的で、給水管内の圧力が給水口部分の圧力より一定以上高くなった時だけ開く差圧開閉弁を、給水口内に設けたものもある（実開平３−７３１０１号）。
【０００５】
【発明が解決しようとする課題】
近年、内視鏡を介する感染の可能性をより完全に無くすために、内視鏡本体だけでなくあらゆる付属品類も洗浄消毒を行えるようにすることが望まれている。
【０００６】
しかし、上述の従来の内視鏡用給水装置のうち前者のものは、給水口が給水受け口金に接続されていない時には給水口が閉塞されてしまうので、給水管内から給水口内にわたる部分を洗浄することが困難である。
【０００７】
また、後者のものは、給水管側から給水口側に洗浄水を通すことができるが、内視鏡への給水を行う通常の使用時に、一定以上の圧力がないと差圧開閉弁が開かないので、その部分での圧力損失が送水量の制御に影響を及ぼして、送水量が所定以下になったり不安定になったりして好ましくない。
【０００８】
そこで本発明は、給水管内から給水口内にわたる部分を容易に洗浄することができ、しかも内視鏡への給水量の制御に問題が生じない内視鏡用給水装置を提供することを目的とする。
【０００９】
【課題を解決するための手段】
上記の目的を達成するため、本発明の内視鏡用給水装置は、加圧された給水タンク内の水を内視鏡に送り込むために、給水タンクから延出する給水管の先端に設けられた給水口が、内視鏡の給水受け口金に着脱自在に接続される内視鏡用給水装置において、給水口が給水受け口金に接続されていない状態では閉じていて、給水口が給水受け口金に接続されることにより強制的に開状態になる給水路弁を、給水口部分に設けると共に、給水口が給水受け口金に接続された状態では給水管と給水口とを連通させる状態に開き、給水口が給水受け口金に接続されていない状態においては、通常は給水管と給水口との間を塞ぎ、給水管内と給水口内との間に一定以上の差圧が生じた状態になると、それによって開いて給水管と給水口とを連通させる差圧開閉弁を、給水口内に設けたものである。
【００１０】
なお、給水口が給水受け口金に接続されていない状態において、給水管内の圧力が給水口部分の圧力より一定以上高くなることにより差圧開閉弁が開くようにしてもよく、或いは、給水口部分の圧力が給水管内の圧力より一定以上高くなることにより差圧開閉弁が開くようにしてもよい。
【００１１】
また、給水口が、給水路弁を構成する筒状部材の先端部分に形成されており、給水口が給水受け口金に着脱されることにより、筒状部材が軸線方向に移動して給水路弁が機械的に開閉されるようにしてもよい。
【００１２】
また、差圧開閉弁が筒状部材に取り付けられた弾力性のある閉鎖膜によって形成されていて、給水口が給水受け口金に接続された状態では閉鎖膜が筒状部材の内部通路を塞がず、給水口が給水受け口金に接続されていない状態においては、通常は閉鎖膜が筒状部材の内部通路を塞ぎ、給水管内と給水口内との間に一定以上の差圧が生じると、その差圧によって閉鎖膜が弾力的に変形して筒状部材の内部通路を塞がない状態になるようにしてもよい。
【００１３】
【発明の実施の形態】
図面を参照して本発明の実施例を説明する。
図８は内視鏡用給水装置を略示しており、水が貯留された給水タンク１の蓋部１ａから側方に突設された接続管２が、光源装置５０に内蔵された送気ポンプ５１に接続されて、給水タンク１内の水が加圧されるようになっている。
【００１４】
給水タンク１の底部近傍に一端が開口する給水管３が給水タンク１の蓋部１ａから上方に延出しており、蓋部１ａ内に開口する給気管４が給水管３の回りを囲む二重管構造に構成されている。したがって、給水タンク１内の加圧水が給水管３内に送り込まれ、加圧空気が給気管４内に送り込まれる。
【００１５】
なお、図９に示されるように、給水タンク１の蓋部１ａには、給水管３の下流側と給水タンク１内の空間とが連通する状態に切り換え可能なコック６が取り付けられているが、図８にはコック６の図示は省略されている。
【００１６】
図８に示される２３と２２は、内視鏡２０内に挿通配置された送水管路と送気管路であり、光源装置５０に接続されるライトガイドコネクタ２１の側面部には、送水管路２３と送気管路２２に連通する給水受け口金２５と給気受け口金２４が、給水受け口金２５を内側にして二重筒状に形成されている。
【００１７】
このような構成により、給水管３の先端出口である給水口５と給気管４とが、内視鏡２０の給水受け口金２５と給気受け口金２４とに対して着脱自在に接続され、給水管３と給気管４を経由して送水管路２３と送気管路２２に水と空気が供給される。そして、図示されていない内視鏡操作部に配置された操作弁によって送気送水操作が行われる。
【００１８】
図１は、内視鏡２０の給水受け口金２５と給気受け口金２４に対して着脱自在な給水管３と給気管４の先端部分の第１の実施例を示しており、給気管４の先端に接続固定された中空ケーシング状の通気口金１０の先端面には、内視鏡２０の給気受け口金２４内に連通する通気孔１１が形成され、通気口金１０の外周面には、クリック用のＣリング１３が装着されている。１９ａはシール用のＯリングである。
【００１９】
また、給水管３の先端に接続固定された中空ケーシング状の通水口金１２が、通気口金１０内に固定されている。１４は、給気管４内の空気を通気口金１０内に導くための通気路である。
【００２０】
給水口５は、基端部分が塞がった円筒状の給水路弁１５の先端部分によって形成されており、その給水路弁１５の基端寄りの部分は、通水口金１２に形成された孔内に軸線方向に進退自在に嵌挿されている。１９ｂはシール用のＯリングである。
【００２１】
給水路弁１５は、圧縮コイルスプリング１６によって常時先端側に押し出される方向に付勢されており、鍔状のストッパ１５ａによって、図１に示されるように通常状態の位置決めがされている。
【００２２】
給水路弁１５の基端近傍の側面には、通常状態において半分程度だけ通水口金１２内に開口する通水孔１７が、給水路弁１５の内部通路を介して給水管３と連通する状態に形成されている。
【００２３】
ただし、通水口金１２内に開口する通水孔１７の半部を外側から塞ぐ状態に、例えばシリコンゴム等のように弾力性のある材料からなる筒状の差圧開閉弁１８が、給水路弁１５の基端に取り付けられている。
【００２４】
この実施例の差圧開閉弁１８は、図１に示されるように自由端側が内窄まりの形状に形成されており、内側の通水孔１７側から圧力が加わっても開き方向に変形しないが、外側から一定以上の圧力が加われば、弾力的に変形して通水孔１７を給水管３内と連通させる。
【００２５】
このように構成された実施例の内視鏡用給水装置は、図２に示されるように、給水口５が内視鏡２０の給水受け口金２５に接続された状態では、給水路弁１５が、給水受け口金２５の床面部によって圧縮コイルスプリング１６の付勢力に抗して通水口金１２内に機械的に強制的に押し込まれる。
【００２６】
その結果、差圧開閉弁１８によって覆われていない通水孔１７の半部が通水口金１２内に開口し、通水口金１２内を経由して給水管３内と給水口５とが連通するので、給水路弁１５の内部通路等を経由して給水管３内と送水管路２３とが連通した状態になる。２９はシール用のＯリングである。
【００２７】
そして、図１に示されるように給水口５が内視鏡２０側の給水受け口金２５に接続されていない状態においては、給気管４を介して給水タンク１内がほぼ大気圧に近い圧力になっており、通水孔１７が差圧開閉弁１８で塞がれることにより、給水管３と給水口５との間が塞がれている。したがって、給水口５を下に向けても、給水管３内に溜まっている水が給水口５から滴り落ちない。
【００２８】
そして、内視鏡検査終了後には、図３に示されるように、給水タンク１から蓋部１ａを取り外して、給水管３の基端側に注射器３０等を接続して洗浄液を給水管３内に注入する。
【００２９】
すると、給水管３内と給水口５内との差圧が差圧開閉弁１８を弾力的に変形させる程度に大きくなることにより、図４に示されるように差圧開閉弁１８が押し開かれて洗浄液が給水口５から送り出され、給水管３内から通水口金１２内と給水路弁１５内を経由して給水口５内までの給水路内が洗浄される。
【００３０】
図５は、本発明の第２の実施例を示しており、差圧開閉弁１８の自由端側が末広がり状に形成されている。その結果、差圧開閉弁１８は外側から圧力が加わっても開き方向に変形しないが、内側の通水孔１７側から一定以上の圧力が加われば弾力的に変形して通水孔１７を通水口金１２内に開口させる。その他の部分は上述の第１の実施例と同じである。
【００３１】
このように構成された第２の実施例の内視鏡用給水装置は、給水口５が内視鏡２０の給水受け口金２５に接続された状態では、図２に示される第１の実施例の場合と同様にして、給水管３内と送水管路２３とが連通した状態になる。
【００３２】
そして、図５に示されるように給水口５が内視鏡２０側の給水受け口金２５に接続されていない状態においては、通水孔１７が差圧開閉弁１８で塞がれていて、給水管３と給水口５との間が塞がれているので、給水管３内に溜まっている水が給水口５から滴り落ちない。
【００３３】
そして、内視鏡検査終了後には、図６に示されるように、給水タンク１から蓋部１ａを取り外し、給水口５に注射器３０等を接続して洗浄液を給水口５から注入する。
【００３４】
すると、給水管３内と給水口５内との差圧が差圧開閉弁１８を弾力的に変形させる程度に大きくなることにより、図７に示されるように差圧開閉弁１８が押し開かれて洗浄液が給水管３の基端側から送り出され、給水口５内から給水路弁１５内と通水口金１２内を経由して給水管３内が洗浄される。
【００３５】
【発明の効果】
本発明によれば、給水口が内視鏡の給水受け口金に接続されていない状態では通常は差圧開閉弁が給水管と給水口との間を塞いで、給水路弁が閉じた状態になるので給水管内の水が滴り落ちず、また、給水管内と給水口内との間に一定以上の差圧が生じた状態になると、それによって差圧開閉弁が開いて給水管と給水口とを連通させるので、それらの内部に洗浄液を流して容易に洗浄することができ、さらに、給水口が給水受け口金に接続されることにより給水路弁が強制的に開状態になるので、その部分において圧力損失が発生せず、内視鏡への給水量の制御に問題が生じない。
【図面の簡単な説明】
【図１】本発明の第１の実施例の内視鏡用給水装置の給水口が内視鏡側に接続されていない状態の給水口付近の側面断面図である。
【図２】本発明の第１の実施例の内視鏡用給水装置の給水口が内視鏡側に接続された状態の給水口付近の側面断面図である。
【図３】本発明の第１の実施例の内視鏡用給水装置の給水路内を洗浄する状態の略示図である。
【図４】本発明の第１の実施例の内視鏡用給水装置の給水路内を洗浄する際の給水口付近の側面断面図である。
【図５】本発明の第２の実施例の内視鏡用給水装置の給水口が内視鏡側に接続されていない状態の給水口付近の側面断面図である。
【図６】本発明の第２の実施例の内視鏡用給水装置の給水路内を洗浄する状態の略示図である。
【図７】本発明の第２の実施例の内視鏡用給水装置の給水路内を洗浄する際の給水口付近の側面断面図である。
【図８】本発明の実施例の内視鏡用給水装置の全体構成の略示図である。
【図９】本発明の実施例の内視鏡用給水装置の給水タンク付近の側面断面図である。
【符号の説明】
１  給水タンク
２  接続管
３  給水管
４  給気管
５  給水口
１５  給水路弁
１６  圧縮コイルスプリング
１７  通水孔
１８  差圧開閉弁
２０  内視鏡
２４  給気受け口金
２５  給水受け口金
５１  送気ポンプ
【図１】
0004554808.tif 000002
【図２】
0004554808.tif 000003
【図３】
0004554808.tif 000004
【図４】
0004554808.tif 000005
【図５】
0004554808.tif 000006
【図６】
0004554808.tif 000007
【図７】
0004554808.tif 000008
【図８】
0004554808.tif 000009
【図９】
0004554808.tif 000010